(57)【特許請求の範囲】
【請求項１】
ポリビニルピロリドン系水溶性高分子としてポリビニルピロリドン，ビニルピロリドン・酢酸ビニル共重合体から選ばれる一種類又は二種類以上を５〜８０質量％とアニオン性水溶性高分子としてカルボキシビニルポリマー，アクリル酸・メタクリル酸アルキル共重合体，アクリル樹脂から選ばれる一種類又は二種類以上を０．５〜５０質量％とを含有することを特徴とするカツラ用固定剤。
【発明の詳細な説明】
【０００１】
【発明の属する技術分野】
本発明は、カツラ用固定剤に関し、更に詳しくは、カツラ等の基体を頭皮、額部および頭髪部局所に接着させるための固定剤に関する。
【０００２】
【従来の技術】
従来、局所的に頭髪の薄くなった部分を隠す方法として、カツラ等の擬似毛髪を、その薄毛部分に被着させる方法がある。このようなカツラを用いて薄毛部分を隠す方法においては、通常、カツラと頭皮或いは毛髪とを固定する必要があり、固定する方法としては、ヘアピンのような器具を用いて固定させる方法、両面テープにより固定させる方法、或いは専用の接着剤を用いて接着させる方法がとられている。特に、薄毛部分の面積が大きかったり、また境界部に毛髪のない前頭部の薄毛を隠すには、接着剤が汎用されている。一般に市販されているこれらカツラ用の接着剤は、、木工用ボンド等に代表される家庭用の接着剤であるアクリル酸と酢酸ビニルの共重合体やそのエマルジョンが主成分として使用されている。
【０００３】
【発明が解決しようとする課題】
しかしながら、これらアクリル酸と酢酸ビニルの共重合体は、酢酸ビニル特有のビニル臭を有しており、使用時に不快感を与え、また、乾燥後は耐水性が高く簡単に取ることが出来ず、剥がすときに痛みを生じたりしていた。更に、使用時に糸を引く特性を有していたり、毛髪や衣服に付着すると通常の洗髪や洗濯で接着剤固形物を取ることができないという欠点を有していた。そのため、不快な臭いがせず、容易に剥がすことができ、毛髪や衣服に誤って付着しても簡単に洗い落とせ、かつ乾燥性や粘着性・接着性に優れたカツラ用の接着剤が強く望まれていた。
【０００４】
【課題を解決するための手段】
そこで、本発明者は、前記従来技術の問題点を解決しようと試み、鋭意研究した結果、ポリビニルピロリドン系水溶性高分子とアニオン性水溶性高分子とを含有することを特徴とするカツラ用固定剤を含有することを特徴とするカツラ用固定剤によって、不快な臭いがせず、容易に剥がすことができ、糸曳き性もなく、毛髪や衣服に誤って付着しても簡単に洗い落とせ、かつ乾燥性や粘着性・接着性に優れたカツラ用固定剤が得られることを見出し、本発明を完成するに至った。
【０００５】
【発明の実施の形態】
すなわち、本発明は、ポリビニルピロリドン系水溶性高分子とアニオン性水溶性高分子とを含有することを特徴とするカツラ用固定剤を含有することを特徴とするカツラ用固定剤にある。
【０００６】
本発明で用いられるポリビニルピロリドン系水溶性高分子は、ビニルピロリドン骨格を有する高分子化合物であり、一般に化粧料に用いられるものであれば特に限定されないが、具体例を挙げれば、
（１）ビニルピロリドンを基本とする単位で構成されるポリビニルピロリドン（例えばＢＡＳＦ社製のルビスコ−ルＫ−３０，ルビスコ−ルＫ−９０、ＩＳＰ社製のＰＶＰ  Ｋ３０，ＰＶＰ  Ｋ９０）、
（２）ビニルピロリドン及び酢酸ビニルを基本とする単位で構成されるビニルピロリドン・酢酸ビニル共重合体（例えばＢＡＳＦ社製のルビスコ−ルＶＡ、ヘンケル社製のナズナＢ、ＩＳＰ社製のＰＶＰ／ＶＡ）、
（３）ビニルピロリドン，アクリル酸及びアルキルアクリル酸を基本とする単位で構成されるビニルピロリドン・アクリル酸・アルキルアクリル酸共重合体（例えばＩＳＰ社製のAcｒｙｌｉｄｏｎｅ  ＬＭ）、
（４）ビニルピロリドン及びジメチルアミノエチルメタクリル酸を基本とする単位で構成されるポリビニルピロリドン・ジメチルアミノエチルメタクリル酸共重合体（例えばＰｈｏｅｎｉｘ社製のＰｅｃｏｇｅｌ  Ｓ−１１２０）、
（５）ビニルピロリドン，ジメチルアミノエチルメタクリル酸及びウレタンを基本とする単位で構成されるポリビニルピロリドン・ジメチルアミノエチルメタクリル酸・ポリウレタン共重合体（例えばＰｈｏｅｎｉｘ社製のＰｅｃｏｇｅｌ  ＧＣ−３１０，Ｐｅｃｏｇｅｌ  ＧＣ−１１１０）、
（６）ビニルピロリドン及びジメチルアミノプロピルアクリルアミドを基本とする単位で構成されるビニルピロリドン・ジメチルアミノプロピルアクリルアミド共重合体（例えばＩＳＰ社製のＡＣＰ−１１６３）、
（７）ビニルピロリドン及びウレタンを基本とする単位で構成されるポリビニルピロリドン・ポリウレタン共重合体（例えばＰｈｏｅｎｉｘ社製のＰｅｃｏｇｅｌ  Ｈ−１２，Ｐｅｃｏｇｅｌ  Ｈ−１１５）等が使用される。
【０００７】
本発明においては、これらポリビニルピロリドン系水溶性高分子の中から、一種類又は二種以上を用いることができ、また、接着力や高分子化合物の溶解性の点で、ポリビニルピロリドン、ビニルピロリドン・酢酸ビニル共重合体が好ましい。また、ポリビニルピロリドン系水溶性高分子の配合量は、接着力付与の目的で、通常５〜８０質量％（以下、単に％と記する）、好ましくは、１０〜５０％配合される。５％未満では、十分な接着力を得ることができず、また８０％を超えると溶解させることが困難となったり、また組成物の粘性が上昇し、塗布しにくくなるなどの使用感に問題が生じる場合がある。
【０００８】
本発明で用いられるアニオン性水溶性高分子は、ポリビニルピロリドン系水溶性高分子と組み合わせることにより、糸曳き性を防止するとともに、カツラとの接着性を向上させたり、粘性を向上させて使用時の垂れ落ち等を防止するものである。アニオン性水溶性高分子としては、一般に化粧料に用いられるものであれば特に限定されないが、具体例を挙げれば、
（１）ペンタエリスチル，スクロース又はプロピレンのエーテルで架橋したカルボキシビニルポリマー（例えばＢ．Ｆ．グッドリッチ社製のカーボポール、３Ｖシグマ社製のシンタレン、和光純薬社製のハイビスワコー）、
（２）アクリル酸とメタクリル酸アルキルを基本とする単位で構成されるアクリル酸・メタクリル酸アルキル共重合体（例えばＢ．Ｆ．グッドリッチ社製のＰＥＭＵＬＥＮ）、
（３）アクリル酸及びメタクリル酸から選ばれる少なくとも1種を基本とする単位で構成されるアクリル樹脂（例えば互応化学社製のプラスサイズ、大阪有機社製のアニセット、三菱化学社製のダイヤホールド）、
（４）酢酸ビニル及びクロトン酸を基本とする単位で構成される酢酸ビニル・クロトン酸共重合体（例えばＮＳＣ社製のレジン２８−１３１０）、
（５）アクリル酸及びネオデカン酸ビニルを基本とする単位で構成される高分子（例えばＮＳＣ社製のレジン２８−２９３０）、
（６）アクリル酸及びアルキルアクリルアミドを基本とする単位で構成されるアクリル酸アルキル共重合体（例えばＮＳＣ社製のバーサクリル、ＢＡＳＦ社製のウルトラホールド）、
（７）メチルビニルエーテルマレイン酸を基本とする単位で構成されるビニルメチルエーテル・マレイン酸ブチル共重合体（例えばＩＳＰ社製のガントレッツ）等が挙げられる。
【０００９】
本発明においては、これらアニオン性水溶性高分子の中から、一種類又は二種以上を用いることができ、また、ポリビニルピロリドン系水溶性高分子との相溶性及び増粘性の点で、カルボキシビニルポリマー、アクリル酸・メタクリル酸アルキル共重合体、アクリル樹脂が好ましい。また、アニオン性水溶性高分子の配合量は、好ましくは、０．５〜５０％、更に好ましくは、１〜３０％である。０．５％未満では、糸曳き性を解消することができず、また５０％を超えると溶解させることが困難となったり、また組成物の粘性が上昇して塗布できないなどの使用上の問題を生じる場合がある。
【００１０】
本発明のカツラ用固定剤は所望により、本発明の効果を損しない範囲で、通常化粧料に一般に配合される成分、例えばエタノール、イソプロパノール等のアルコール、ラノリン誘導体、蛋白質誘導体や、メチルポリシロキサン、メチルフェニルポリシロキサン等のシリコーン油、ポリエチレングリコールの脂肪酸エステル油、ツバキ油、オリーブ油等の植物油等の油性成分、プロピレングリコール、グリセリン、ポリエチレングリコール等の保湿成分、ポリオキシエチレンアルキルエーテル等の非イオン界面活性剤、カルボキシベタイン等の両性界面活性剤、アルキルスルホン酸塩等のアニオン界面活性剤、流動パラフィン、ワセリン、スクワラン等の炭化水素、水溶性高分子物質（アニオン性、非イオン性、カチオン性のものを含む）、金属イオン封鎖剤、防腐剤、ｐＨ調整剤、ビタミン類、紫外線吸収剤、酸化防止剤、色素、香料及び噴射剤等を含むことができる。
【００１１】
本発明のカツラ用固定剤は、剤型としてエアゾール、液状、乳液状、クリーム状、ゲル状等様々な剤型タイプにすることができ、特に剤型を問わない。また、刷毛などの器具を用いて皮膚，毛髪及びカツラに直接に塗布してもよいし、また手や指によって塗布してもよく、更に、ポンプミストや噴射剤を配合したスプレーにして使用部位に噴霧してもよい。
【００１２】
【実施例】
次に本発明を実施例を以って詳細に説明するが、本発明はこれにより限定されるものではない。実施例に先立ち、各実施例で採用した試験法、評価法を説明する。なお、以下の表に示す組成物の配合量は、それぞれ質量％で示す。
【００１３】
▲１▼匂い、糸曳き性の試験法
５名のパネルを用いて、本発明の実施例及び比較例の組成物の匂い及び糸曳き性について官能評価を行った。尚、評価基準は以下のように設定した。
・評価基準（匂い）
◎・・・刺激臭について「なし」と答えたパネルが７人以上
○・・・刺激臭について「なし」と答えたパネルが５人以上、７人未満
△・・・刺激臭について「なし」と答えたパネルが３人以上、５人未満
×・・・刺激臭について「なし」と答えたパネルが３人未満
・評価基準（糸曳き性）
◎・・・糸曳き性について「なし」と答えたパネルが７人以上
○・・・糸曳き性について「なし」と答えたパネルが５人以上、７人未満
△・・・糸曳き性つきについて「なし」と答えたパネルが３人以上、５人未満
×・・・糸曳き性について「なし」と答えたパネルが３人未満
【００１４】
▲２▼洗浄容易性試験法
日本人黒色毛髪からなる毛束（５ｇ、１５ｃｍ）に実施例及び比較例の組成物を１ｇ塗布し、室温にて１時間乾燥させた。次いで市販のシャンプー０．５ｇを用いて１分間揉み洗いを行い、水で濯いだ後乾燥させた。２時間室温にて乾燥させた後、５名のパネルを用いて、固定剤の毛髪への残留性を評価した。尚、評価基準は以下のように設定した。
・評価基準（洗浄容易性）
◎・・・固定剤の残留性について「なし」と答えたパネルが７人以上
○・・・固定剤の残留性について「なし」と答えたパネルが５人以上、７人未満
△・・・固定剤の残留性について「なし」と答えたパネルが３人以上、５人未満
×・・・固定剤の残留性について「なし」と答えたパネルが３人未満
【００１５】
▲３▼乾燥性試験法
２５℃、湿度６０％の恒温恒湿室内において、Ｔｅｘｔｕｒｅ  Ａｎａｌｙｓｅｒ（ＴＡ−ＸＴ２、Ｓｔａｂｌｅ  Ｍｉｃｒｏ社製）を用いて、試料０．１ｇについて８００ｇの荷重をかけながら、２０秒間隔で繰り返し、粘着力を測定し、粘着力が２０ｇ以下となった点を乾燥終了点として、乾燥までの時間を測定した。尚評価基準は以下のように設定した。
・評価基準（乾燥速度）
◎・・・乾燥時間が３分未満
○・・・乾燥時間が３分以上、５分未満
△・・・乾燥時間が５分以上、１０分未満
×・・・乾燥時間が１０分以上
【００１６】
▲３▼接着力試験法
上腕内側部に試料０．５ｇを均一に塗布し、次いで市販のカツラ（接触面２ｃｍ×２ｃｍ）を密着させる。１０分間放置して乾燥させた後に、引張強度試験機を用いて、剥離するのに必要な応力を測定した。尚評価基準は以下のように設定した。
・評価基準（接着力）
◎・・・剥離するのに必要な力が１ｋｇｆ以上
○・・・剥離するのに必要な力が０．７ｋｇｆ以上、１ｋｇｆ未満
△・・・剥離するのに必要な力が０．５ｋｇｆ以上、０．７ｋｇｆ未満
×・・・剥離するのに必要な力が０．５ｋｇｆ未満
【００１７】
実施例１〜５、比較例１〜４
表１に示す組成のカツラ用固定剤を試作し、匂い、糸曳き性、洗浄容易性、乾燥性及び接着力を調べた。結果を表１に併せて示す。
【００１８】
【表１】
0003984065.tif 000002
【００１９】
表１より明らかなように、本発明の成分を用いた実施例１〜５のカツラ用固定剤はいずれも優れた性能を示していた。一方、必須成分を欠いた比較例１〜３は、糸曳き性や乾燥性、接着力に劣り、また従来から使用されているアクリル酸・酢酸ビニル共重合体を用いた比較例４は、糸曳きは少ないものの、その他の項目において劣っており、本発明の効果を達成できなかった。
【００２０】
以下、本発明のカツラ用固定剤のその他の処方例を実施例として挙げる。尚、これらの実施例のカツラ用固定剤についても、上記の匂い、糸曳き性、洗浄容易性、乾燥性及び接着力について検討したところ、いずれの実施例においても優れた特性を有していた。
【００２１】
実施例６  カツラ固定剤（透明ジェル状タイプ）
（配合成分）                                            配合量（％）
１）ＰＶＰ／ＶＡ  Ｓ−６３０（ＩＳＰ社製）              ４０．０
２）シンタレンＫ（３Ｖシグマ社製）                        ０．８
３）トリエタノールアミン                                  ０．６
４）エタノール                                          ３０．０
５）イソプロピルメチルフェノール                          ０．１
６）グリチルリチン酸ジカリウム                            ０．１
７）メチルパラベン                                        ０．１
８）香料                                                  ０．１
９）精製水                                                残  部
【００２２】
＜製造方法＞２及び６を９の一部に分散する。次に１、３〜５、７、８及び９の残部を混合溶解したものを加え、ホモミキサーを用いて均一に混合溶解し、チューブ容器に充填した。
【００２３】
実施例７  カツラ固定剤（透明ローションタイプ）
（配合成分）                                            配合量（％）
１）ＰＶＰ／ＶＡ  Ｓ−６３０（ＩＳＰ社製）              ２０．０
２）ルビスコールＫ−３０（ＢＡＳＦ社製）                １０．０
３）ＰＥＭＵＬＥＮ  ＴＲ−１                              ０．３
（Ｂ．Ｆ．グッドリッチ社製）
４）カーボーポール９８１（Ｂ．Ｆ．グッドリッチ社製）      ０．２
５）トリエタノールアミン                                  ０．３
６）エタノール                                          ２０．０
７）フェノキシエタノール                                  ０．３
８）ＰＯＥ（６０）硬化ヒマシ油                            ０．１
９）精製水                                                残  部
【００２４】
＜製造方法＞２及び３を９の一部に分散する。次に１、２、５〜８及び９の残部を混合溶解したものを加え、ホモミキサーを用いて均一に混合溶解し、ボトル容器に充填した。
【００２５】
実施例８  カツラ固定剤（乳濁状低粘度タイプ）
（配合成分）                                            配合量（％）
１）ＰＶＰ／ＶＡ  Ｓ−６３０（ＩＳＰ社製）              ３３．０
２）プラスサイズＬ−９６５０（互応化学社製）            ３０．０
３）エタノール                                            ８．０
４）イソプロピルメチルフェノール                          ０．１
５）アンタラ４３０（ＩＳＰ社製）                          １．０
６）メチルパラベン                                        ０．１
７）ＰＯＥ（６０）硬化ヒマシ油                            ０．１
８）精製水                                                残  部
【００２６】
＜製造方法＞１を８に均一溶解し、３〜７を均一に溶解したものを加え、最後に２を加えた後、ホモミキサーを用いて均一の混合分散を行い、チューブ容器に充填した。
【００２７】
尚、上記処方において用いた香料は下記のものである。
【表２】
0003984065.tif 000003
【００２８】
【発明の効果】
以上記載のごとく、本発明は、不快な臭いがせず、容易に剥がすことができ、糸曳き性もなく、毛髪や衣服に誤って付着しても簡単に洗い落とせ、かつ乾燥性や粘着性・接着性に優れたカツラ用固定剤を提供することができる。